(57)【特許請求の範囲】
【請求項１】
上端が閉塞され，下端が開口し，電池を収納した筒状の電池ケースと、
前記ケースの下端部の外面に螺合し，前記開口を閉塞した外キャップと、
この外キャップの中央部に透設された透孔と、
周面が前記ケースの下端部の内面にＯリングを介して摺接し，底面が前記外キャップの上面に回転自在に摺接した内キャップと、
この内キャップの下面の中央部に突設され，前記透孔に挿通された突出体と、
この突出体の先端部に設けられ，前記透孔の径より大きい抜け止め体と、
前記内キャップの上部の凹部に載置された吸湿剤と
を備えた電池ケースの蓋板装着装置。
【発明の詳細な説明】
【０００１】
【発明の属する技術分野】
本発明は、電柱の上部に取り付けられた配電線用開閉器制御装置等の電池ケースの蓋板を気密に装着する電池ケースの蓋板装着装置に関する。
【０００２】
【従来の技術】
従来の電池ケースの蓋板装着装置につき、全体の切断正面図を示した図２及び図３の一部の拡大図を示した図３を参照して説明する。それらの図において、１は電柱２の上部に２個の取付金具３により取り付けられた配電線用開閉器制御装置等の筐体、４は筐体１の下部開口５を気密に閉塞した蓋板、６は蓋板４の中央部に形成された貫通孔、７は電池ケースであり、上端が閉塞され，下端が開口した長尺の上部筒体８と、短尺の下部筒体９からなる。
【０００３】
１０は上部筒体８の下端のフランジであり、上部筒体８が貫通孔６に下方から挿通され、フランジ１０が蓋板４の下面に当接している。１１は下部筒体９の上端のフランジであり、環状のＯリング溝１２が形成されている。１３はＯリング溝１２に嵌入されたＯリング、１４は両フランジ１１，１０を貫通したねじであり、蓋板４の下面の螺孔に螺合し、両フランジ１０，１１が気密に装着され、両筒体８，９が蓋板４に装着されている。
１５はケース７に収納された電池、１６は電池１５の周面に設けられた固定用スポンジ、１７は上部筒体８の上板を気密に貫通した２個の電池接続用端子であり、電池１５の両端子に接続されている。
【０００４】
１８は下部筒体９の下端部の外周面に形成されたおねじ、１９は円板状のキャップ、２０はキャップ１９の上部の凹部、２１は凹部２０の側壁に形成されためねじであり、下部筒体９のおねじ１８にねじ合い、キャップ１９がケース７の下部開口を閉塞している。２２はキャップ１９の凹部２０に載置されたシリカゲルからなる吸湿剤、２３は凹部２０の底面の周縁部に形成され，Ｏリング２４が嵌入された環状のＯリング溝であり、キャップ１９を下部筒体９に締め付け、キャップ１９が下部筒体９の下部開口を閉塞した時、Ｏリング２４が下部筒体９の下部端面に圧接され、キャップ１９が下部筒体９に気密に装着されている。
【０００５】
そして、寿命による電池１５の交換を、作業者が電柱２上でキャップ１９のケース７からの脱着により行っている。
【０００６】
【発明が解決しようとする課題】
従来の前記装置の場合、電池１５の交換時、キャップ１９から吸湿剤２２が落下する恐れがある。
しかも、キャップ１９をケース７に装着する際、吸湿剤２２が下部筒体９の下部端面とＯリング面との間に噛み込むという問題点がある。
さらに、キャップ１９の締め方により気密性能が損なう場合がある。
【０００７】
その上、キャップ１９を締める際、Ｏリング２４が下部筒体９の下部端面に摺接し、Ｏリング２４に摩擦力が加わり、Ｏリング２４が損傷し、気密の信頼性が低下するという問題点がある。
【０００８】
本発明は、前記の点に留意し、キャップの脱着による吸湿剤の落下防止，吸湿剤のＯリング面への噛み込み防止及びＯリングの損傷を防止し、キャップの締め方に関係なく、気密を保持し、気密の信頼性を向上することができる電池ケースの蓋板装着装置を提供することを目的とする。
【０００９】
【課題を解決するための手段】
前記課題を解決するために、本発明の電池ケースの蓋板装着装置は、上端が閉塞され，下端が開口し，電池を収納した筒状の電池ケースと、ケースの下端部の外面に螺合し，開口を閉塞した外キャップと、外キャップの中央部に透設された透孔と、周面がケースの下端部の内面にＯリングを介して摺接し，底面が外キャップの上面に回転自在に摺接した内キャップと、この内キャップの下面の中央部に突設され，透孔に挿通された突出体と、突出体の先端部に設けられ，透孔の径より大きい抜け止め体と、内キャップの上部の凹部に載置された吸湿剤とを備えたものである。
【００１０】
従って、外キャップを電池ケースに装着する際、内キャップの上端部をケースの下部開口に挿入し、外キャップをケースの下端部の外面に螺合させると、内キャップがケースの内面にＯリングを介して気密に摺接しながら上昇するため、外キャップの締め付けの強，弱に関係なく、内キャップにより気密に保持され、気密の信頼性が向上される。
しかも、外キャップの脱着の際、内キャップが回転せず、Ｏリングの損傷が防止される。
【００１１】
さらに、吸湿剤が内キャップの凹部に収納されているため、電池の交換時の外キャップの脱着の際、吸湿剤が内キャップの凹部からはみ出ることがなく、吸湿剤の落下及び吸湿剤の内キャップとＯリング面との間への噛み込みが防止される。
【００１２】
【発明の実施の形態】
本発明の実施の１形態につき、切断正面図を示した図１を参照して説明する。同図において、図２及び図３と同一符号は同一もしくは相当するものを示す。
２５は前記キャップ１９とほぼ同形状の外キャップであり、凹部２０の側壁のめねじ２１が下部筒体９のおねじ１８に螺合している。２６は外キャップ２５の中央部に透設された透孔、２７は下部筒体９の下部の内周面に形成され，Ｏリング２８が嵌入された環状のＯリング溝、２９は内キャップであり、底面が外キャップ２５の上面に回転自在に摺接している。３０は内キャップ２９の上部の凹部である。
【００１３】
３１は内キャップ２９の下面の中央部に突設され，透孔２６に挿通された突出体、３２は突出体３１の下面に形成された螺孔、３３は突出体３１の先端部の端面に当接した透孔２６の径より大きい抜け止め体、３４は抜け止め体３３を貫通して螺孔３２に螺合したねじあり、ねじ３４により、突出体３１の先端部に抜け止め体３３が装着され、抜け止め体３３により外キャップ２５に内キャップ２９が連結され、内キャップ２９の凹部３０に吸湿剤２２が載置され、内キャップ２９の周面が下部筒体９の内面にＯリング２８を介して気密に摺接している。
【００１４】
そして、電池１５の交換に際し、外キャップ２５をケース７から取り外すと、同時に、外キャップ２５の下面が抜け止め体３３に当接し、内キャップ２９が回転することなく下部筒体９の内面に摺接しながら下降して下部筒体９から離脱し、Ｏリング２８が損傷しない。
【００１５】
つぎに電池１５の交換後、内キャップ２９の上端部を下部筒体９の下部開口に挿入し、外キャップ２５を下部筒体９に締め付けると、内キャップ２９が下部筒体９の内面にＯリング２８を介して気密に摺接しながら上昇し、外キャップ１９の締め付けの強，弱に関係なく、内キャップ２９とＯリング２８とにより気密が保持される。
【００１６】
そして、電池１５の交換時の外キャップ２５の脱着の際、吸湿剤２２が内キャップ２９の凹部３０からはみ出ることがなく、吸湿剤２２の落下及び吸湿剤２２の内キャップ２９，Ｏリング面間への噛み込みが防止される。
【００１７】
【発明の効果】
本発明は、つぎに記載する効果を奏する。
本発明の電池ケースの蓋板装着装置は、外キャップ２５の中央部の透孔２６に内キャップ２９の突出体３１を挿通し、内キャップ２９の周面をケース７の周面にＯリング２８を介して摺接し、内キャップ２９の底面を外キャップ２５の上面に回転自在に摺接するようにしたため、外キャップ２５をケース７に装着する際、内キャップ２９がケース７の内面にＯリング２８介して気密に摺接するため、外キャップ２５の締め付けの強，弱に関係なく、内キャップ２９により気密が保持され、気密の信頼性を向上することができる。
【００１８】
しかも、外キャップ２５の脱着の際、内キャップ２９が回転しなく、Ｏリング２８の損傷を防止することができる。
【００１９】
しかも、吸湿剤２２が内キャップ２９の凹部３０に収納されているため、電池１５の交換時の外キャップ２５の脱着の際、吸湿剤２２が内キャップ２９の凹部３０からはみ出ることがなく、吸湿剤２２の落下及び吸湿剤２２の内キャップ２９とＯリング面との間への噛み込みを防止することができる。
【図面の簡単な説明】
【図１】本発明の実施の１形態の切断正面図である。
【図２】従来例の全体の切断正面図である。
【図３】図２の一部の拡大図である。
【符号の説明】
７    電池ケース
１５    電池
２５    外キャップ
２６    透孔
２８    Ｏリング
２９    内キャップ
３０    凹部
３１    突出体
【図１】
0003577811.tif 000002
【図２】
0003577811.tif 000003
【図３】
0003577811.tif 000004